(57)【要約】【課題】封緘用の粘着テープを不要にすることにより梱包並びに開封作業が効率的に行え、しかも丈夫な輸送用箱を提供する。【解決手段】輸送箱１は、底板２の周縁に側板３ａ〜３ｄを立ち上げて構成される上面開口状の箱部材４と、その箱部材４の側板３ａ〜３ｄの上縁の一部に揺動可能に連結部５で連結されて箱部材４の上面開口を塞ぎ得る蓋部材６と、蓋部材６の連結部５の反対側に設けられていて箱部材４に逆進不能な状態に差し込み得る封緘手段７と、連結部５と封緘手段７との間を横断する状態に設けられていてその連結部５と封緘手段７とを切り離し得る帯状の開封手段８と、を備えている。この輸送用箱１の開封手段８を、連結部５と平行な直線に対して非平行な状態に設けるようにした。これにより蓋部材６を封緘する工程で、誤って開封手段８を折り曲げてしまう、という作業ミスが生じ難くなる。【選択図】        図２
0003189258.tif 000002
【実用新案登録請求の範囲】
【請求項１】
底板の周縁に側板を立ち上げて構成される上面開口状の箱部材と、
その箱部材の前記側板の上縁の一部に揺動可能に連結部で連結されて前記箱部材の上面開口を塞ぎ得る蓋部材と、
前記蓋部材の前記連結部の反対側に設けられていて前記箱部材に逆進不能な状態に差し込み得る封緘手段と、
前記連結部と前記封緘手段との間を横断する状態に設けられていてその連結部と封緘手段とを切り離し得る帯状の開封手段と、を備えた輸送用箱において、
前記開封手段を、前記連結部と平行な直線に対して非平行な状態に設けてなることを特徴とする輸送用箱。
【請求項２】
前記蓋部材は、
前記箱部材の上面開口を覆う蓋板と、
その蓋板に折曲自在に連接されて前記側板に重合可能であり且つ自由端の縁側に前記封緘手段を備えてなる連接板と、を有するものであり、
一方、前記開封手段は、前記連接板を横断する状態に設けられていることを特徴とする請求項１に記載の輸送用箱。
【請求項３】
前記開封手段は、前記連接板の前記蓋板側の一つの隅角部に破断口を形成したものであることを特徴とする請求項２に記載の輸送用箱。
【請求項４】
前記箱部材は平面視方形であって、前記蓋部材との連結部側を「後」としたとき、左右に位置する両側板の上縁に折曲自在に連接された側板内フラップを有しており、
一方、前記蓋部材は、前記箱部材の左右の側板に対応する左右各辺に折曲自在に連接された蓋板内フラップを有しており、
さらに、前記側板内フラップと前記蓋板内フラップが折曲自在に連接されていて前記蓋部材を閉じた状態で前記側板内フラップの上に前記蓋板内フラップが折り重なるものであることを特徴とする請求項１〜３の何れか１項に記載の輸送用箱。
【考案の詳細な説明】
【技術分野】
【０００１】
本考案は、例えば通信販売等により商品を消費者に配送する際に使用する輸送用箱に関する。
【背景技術】
【０００２】
特許文献１に記載された従来の紙容器を、説明の便宜上、向きを変えて図５、図６により説明する。
図５の紙容器は、四方が側板１００，１００…に囲われて上向きに開口する箱部材１０１と、その箱部材１０１の一つの側板１００の端縁に折曲自在に連結部１０２で連結されて箱部材１０１の前記開口を塞ぎ得る蓋部材１０３と、を備えており、この蓋部材１０３の端部に引掛あご部１０４，１０４を両横に張り出させた封緘手段たるストッパ片１０５が設けられている。
この図５の紙容器は、ストッパ片１０５を箱部材１０１の内フラップ１０６と側板１００の間に差し込んで引掛あご部１０４をその内フラップ１０６に引っ掛け、そうしてストッパ片１０５が抜けないようにして蓋部材１０３を封緘するものである。
一方、図６の紙容器は、図５のストッパ片１０５で封緘された蓋部材１０３を開封しやすくするための開封手段として、蓋部材１０３に、連結部１０２とストッパ片１０５との間を横断する状態に二本のカット用ミシン目１０７，１０７を設けたものであり、そのカット用ミシン目１０７，１０７を破ってストッパ片１０５を切り離すことで蓋部材１０３が開くようにしたものである。
【先行技術文献】
【特許文献】
【０００３】
【特許文献１】実願昭５６−４９７５５号全文（第２頁  第３図）
【考案の概要】
【考案が解決しようとする課題】
【０００４】
通信販売等において商品を消費者に宅配便で配送するとき、殆どの場合、段ボール紙製の輸送用箱が使われる。
通常、このような輸送用箱は、商品を梱包して粘着テープ（一般に「ガムテープ」という。）で封緘するようにしているが、貼着テープを貼り付ける作業は言うまでもなく非効率的であり、また、消費者側が開封する際にも粘着テープを剥がすのに手間取る場合が多い。しかも剥がした粘着テープのゴミがべたついて嵩張る厄介さもある。
【０００５】
粘着テープで封緘する従来型の輸送用箱における上記課題は、図６の紙容器を応用することで解決し得る。
なぜなら、ストッパ片１０５の引掛あご部１０４と内フラップ１０６の係合を例えば深くして逆進不能になるような形状に設定することにより、まず、箱部材１０１の内部に商品を入れ、蓋部材１０３を閉じてストッパ片１０５を箱部材１０１に差し込むと、引掛あご部１０４の引っ掛かりにより逆進不能になるため、粘着テープを貼り付けずとも封緘が可能だからである。もちろん、これを受け取った消費者は、カット用ミシン目１０７，１０７を破ってストッパ片１０５を切り離すだけで簡単に開封でき、しかも粘着性のゴミも発生しない。
【０００６】
ところがこれを実際に具現化してみると、輸送時に開封手段が破損しやすくなる、という予期せぬ事例が発生した。
すなわち、封緘時のストッパ片１０５の曲げ方向に対して開封手段のカット用ミシン目１０７，１０７の破断方向が直角になっているため、蓋部材１０３を封緘するべくストッパ片１０５を曲げて箱部材１０１に差し込もうとすると、ストッパ片１０５に加えた力で一本の何れかのカット用ミシン目１０７がミシン罫のごとくに作用して折れ曲がるのである。紙、特に段ボール紙の場合、一旦折れるとその部位が格段に破れやすくなるため、輸送時に開封手段が破損しやすくなってしまう。
【０００７】
本考案は、上記に鑑みなされたもので、その目的は、封緘用の粘着テープを不要にすることにより梱包並びに開封作業が効率的に行え、しかも丈夫な輸送用箱を提供することにある。
【課題を解決するための手段】
【０００８】
上記の目的を達成するため本考案は、請求項１に記載したように、
底板の周縁に側板を立ち上げて構成される上面開口状の箱部材と、
その箱部材の前記側板の上縁の一部に揺動可能に連結部で連結されて前記箱部材の上面開口を塞ぎ得る蓋部材と、
前記蓋部材の前記連結部の反対側に設けられていて前記箱部材に逆進不能な状態に差し込み得る封緘手段と、
前記連結部と前記封緘手段との間を横断する状態に設けられていてその連結部と封緘手段とを切り離し得る帯状の開封手段と、を備えた輸送用箱において、
前記開封手段を、前記連結部と平行な直線に対して非平行な状態に設けてなる輸送用箱を提供する。
【０００９】
また、請求項２に記載したように、前記蓋部材は、
前記箱部材の上面開口を覆う蓋板と、
その蓋板に折曲自在に連接されて前記側板に重合可能であり且つ自由端の縁側に前記封緘手段を備えてなる連接板と、を有するものであり、
一方、前記開封手段は、前記連接板を横断する状態に設けられている請求項１に記載の輸送用箱を提供する。
【００１０】
また、請求項３に記載したように、前記開封手段は、前記連接板の前記蓋板側の一つの隅角部に破断口を形成したものである請求項２に記載の輸送用箱を提供する。
【００１１】
また、請求項４に記載したように、前記箱部材は平面視方形であって、前記蓋部材との連結部側を「後」としたとき、左右に位置する両側板の上縁に折曲自在に連接された側板内フラップを有しており、
一方、前記蓋部材は、前記箱部材の左右の側板に対応する左右各辺に折曲自在に連接された蓋板内フラップを有しており、
さらに、前記側板内フラップと前記蓋板内フラップが折曲自在に連接されていて前記蓋部材を閉じた状態で前記側板内フラップの上に前記蓋板内フラップが折り重なるものである請求項１〜３の何れか１項に記載の輸送用箱を提供する。
【００１２】
なお、本考案において、上や下などの概念は絶対的なものではなく、箱を置いた向きによって決定される相対的な概念である。例えば、輸送箱を横向きに置いて使用する場合には、箱部材は側面開口状ということになる。
【考案の効果】
【００１３】
本考案の輸送用箱は、蓋部材を閉じて封緘する工程において、連結部を中心に蓋部材を揺動させつつ封緘手段を箱部材に差し込む、という一連の作業を行っても、開封手段が連結部と平行な直線に対して非平行な状態に設けられているため、蓋部材を揺動させたり封緘手段を差し込んだり、という一連の操作で開封手段に作用する力が斜めに分散される。よって、蓋部材を封緘手段で封緘する工程で、誤って開封手段を折り曲げてしまう、という作業ミスが生じ難い。
【００１４】
また、請求項２のように蓋部材を蓋板と連接板に分けてその連接板に開封手段を設けるようにした場合には、蓋板に荷札や伝票類を貼り付けて開封手段の開封が荷札等に邪魔されることなく行えるようにすることができる。
【００１５】
また、請求項３のように連接板の蓋板側の一つの隅角部に開封手段の破断口を形成した場合には、蓋板と連接板の境界付近の構造的に最も安定した、つまり破断のための力が最も加えやすい部位から、連接板の自由端付近の構造的に弱い部位に向かって開封手段の破断方向が設定されるため、開封手段の破断が行いやすい。
【００１６】
また、請求項４のように、箱部材に連接した側板内フラップと、蓋部材に連接した蓋板内フラップと、を折曲自在に連接して両フラップが折り重なるようにした場合には、その部分における箱部材と蓋部材の強度が高く、また、その部分の密閉度も向上するため異物が入りにくい。
【図面の簡単な説明】
【００１７】
【図１】輸送用箱の封緘後の状態を示す斜視図である。
【図２】輸送用箱の蓋部材を閉じる途中の状態を示す斜視図である。
【図３】輸送用箱の封緘手段を箱部材に差し込む直前の状態を示す斜視図である。
【図４】輸送用箱の内面側から見た展開図である。
【図５】従来の紙容器を示す斜視図である。
【図６】開封手段を備えた従来の紙容器を示す斜視図である。
【考案を実施するための形態】
【００１８】
以下に、本考案の実施の形態を図面を参照しつつ説明する。
図示したように輸送用箱１は、四角い底板２の周縁に四枚の側板３ａ〜３ｄを立ち上げて構成される上面開口状の箱部材４と、その箱部材４の側板３ａ〜３ｄの一部である一つの側板３ｃの上縁に揺動可能なように連結部５で連結されて箱部材４の上面開口を塞ぎ得る蓋部材６と、蓋部材６の連結部５の反対側に設けられていて箱部材４に逆進不能な状態に差し込み得る封緘手段７と、連結部５と封緘手段７との間を横断する状態に設けられていてその連結部５と封緘手段７とを切り離し得る帯状の開封手段８と、を備えている。
【００１９】
［箱部材］
箱部材４は、前記のように底板２と、側板３ａ〜３ｄとからなる。
側板３ａ〜３ｄは、四角い角筒状であって、平らに展開した側板３ａ，３ｂの上に、平らに展開した側板３ｃ，３ｄが重なる二枚重ねの扁平状態に折り畳み得る。
また、左右に位置する側板３ｂ，３ｄの上縁には折曲自在に連接された側板内フラップ９が形成されている。
一方、底板２は、折り畳みと組み立てが自在に行えるワンタッチ底である。かかるワンタッチ底は周知であるため簡単に説明すると、図２に示したように各側板３ａ〜３ｄの下側に連接した四枚の底構成片２ａ〜２ｄを、底構成片２ａと底構成片２ｂ、また、底構成片２ｃと底構成片２ｄをそれぞれペアにして貼付部１０ａ−１０ｂ，１０ｃ−１０ｄで貼り合わせ、さらに底構成片２ａと底構成片２ｃの中心に形成した係合部１１，１２同士で絡ませるようにしたものである。
したがって、側板３ａ〜３ｄを扁平な折り畳み形態と角筒状の組立形態とに切り替えると、その形態変化に底板２が自動的に追随する。
【００２０】
［蓋部材］
蓋部材６は、箱部材４の上面開口を覆う蓋板６ａと、その蓋板６ａに折曲自在に連接されて側板３ａの外面に重合可能であり且つ自由端の縁側に封緘手段７を備えた連接板６ｂと、を有する。
また、蓋板６ａの左右各辺には折曲自在に連接され且つ前記箱部材４の側板内フラップ９に対しても折曲自在に連接する蓋板内フラップ１３が形成されている。
【００２１】
［封緘手段］
封緘手段７は、前記のように蓋部材６の連接板６ｂの自由端の側縁側に折曲自在に連接されたものであり、両横に引掛あご部７ａ，７ａを張り出させてなる。この封緘手段７は、箱部材４の側板３ａと底構成片２ａとのほぼ境界線上に設けた切込線１４に差し込んで引掛あご部７ａを逆進不能な状態に引っ掛け、そうして嵌め殺しのごとく一旦差し込んだ封緘手段７が箱部材４から抜けないようになっている。
【００２２】
［開封手段］
開封手段８は、連結部５と封緘手段７との間を横断する状態、具体的には蓋部材６の連接板６ｂを対角方向に斜めに横断する状態に形成された二本の平行なカット用ミシン目８ａ，８ａである。この開封手段８には、連接板６ｂの蓋板６ａ側の一つの隅角部に破断口８ｂが形成されており、この破断口８ｂを摘んで引っ張ることで蓋部材６の連結部５と封緘手段７とを切り離し得る。もちろん連結部５と封緘手段７とを切り離すことで蓋部材６を開封することができる。
【００２３】
本考案の輸送用箱１は、以上のように構成されているため、まず、図２のように蓋部材６を開いた状態にして箱部材４の中に商品を入れる。
次に、側板内フラップ９と蓋板内フラップ１３を内側に折り込みながら図３のように箱部材４の上面開口に蓋板６ａを被せ、さらに連接板６ｂを側板３ａの外面に重ねつつ封緘手段７を切込線１４に差し込む。前記のように封緘手段７は、引掛あご部７ａが箱部材４に引っ掛かって逆進不能であるため、重ねて粘着テープを貼らずとも図１の状態で確実に封緘される。この状態で蓋板６ａに荷札等を貼れば消費者宅に輸送することができる。
一方、商品を受け取った消費者は、破断口８ｂを摘んで開封手段８を引っ張るだけで、あたかもファスナーを降ろすような軽快さでストレス無く開封できるため、商品を取り出す楽しみが増す。また、粘着質で嵩張るゴミも生じない。
【実施例１】
【００２４】
図４は、本考案の輸送用箱１の内面側から見た展開図である。同図に示したように輸送用箱１は、波形の中芯を上下方向に向けた一枚の段ボール紙で形成されているのであって、その段ボール紙に形成された押罫１５ａ，１５ｂによって箱部材４と、蓋部材６と、封緘手段７が一連に形成され、また、連接板６ｂに切り込まれたカット用ミシン目８ａ，８ａによって開封手段８が形成されている。
なお、押罫１５ａ，１５ｂによる折り曲げ方向を明確にするため、図２の内面側から見た展開図を基準にして、谷折りする押罫１５ａを一点鎖線で示し、山折りする押罫１５ｂを二点鎖線で示した。また、図２において符合１６は、側板３ａの横に連接した糊付け片であり、この糊付け片１６を側板３ｄの貼付領域１７に接着して側板３ａ〜３ｄを角筒状に連結する。
【００２５】
以上、本考案を実施の形態について説明したが、もちろん本考案は上記実施形態に限定されるものではない。例えば、実施形態では、輸送用箱が直方体形状になっているが、円柱形状や多角柱形状であってもよい。もし、輸送用箱を円柱形状にする場合には、側板の上縁の一部に直線部を形成してその直線部分を連結部にすればよい。
また、実施形態では、蓋部材６を蓋板６ａと連接板６ｂで形成したが、蓋板６ａの縁に封緘手段７を形成すると共にその蓋板６ａに開封手段８を形成するようにしてもよい。この場合、蓋部材６と蓋板６ａは同義である。
また、実施形態では、開封手段８を直線状の平行なカット用ミシン目８ａ，８ａで形成したが、カット用ミシン目８ａ，８ａは例えばギザギザにする、というように直線でなくてもよく、また、二本のカット用ミシン目８ａ，８ａ同士も平行でなくてもよい。
【符号の説明】
【００２６】
１  …輸送用箱
２  …底板
３ａ〜３ｄ  …側板
４  …箱部材
５  …連結部
６  …蓋部材
６ａ  …蓋板
６ｂ  …連接板
７  …封緘手段
８  …開封手段
８ｂ  …破断口
９  …側板内フラップ
１３  …蓋板内フラップ
【図１】
0003189258.tif 000003
【図２】
0003189258.tif 000004
【図３】
0003189258.tif 000005
【図４】
0003189258.tif 000006
【図５】
0003189258.tif 000007
【図６】
0003189258.tif 000008
【手続補正書】
【提出日】平成25年12月25日(2013.12.25)
【手続補正１】
【補正対象書類名】実用新案登録請求の範囲
【補正対象項目名】請求項１
【補正方法】変更
【補正の内容】
【請求項１】
底板の周縁に側板を立ち上げて構成される上面開口状の箱部材と、
その箱部材の前記側板の上縁の一部に揺動可能に連結部で連結されて前記箱部材の上面開口を塞ぎ得る蓋部材と、
前記蓋部材の前記連結部の反対側に設けられていて前記箱部材に設けられた切込線に差し込んで自己の引掛あご部を逆進不能な状態に引っ掛け得る封緘手段と、
前記連結部と前記封緘手段との間を横断する状態に設けられていてその連結部と封緘手段とを切り離し得る帯状の開封手段と、を備えた輸送用箱において、
前記開封手段を、前記連結部と平行な直線に対して非平行な状態に設けてなることを特徴とする輸送用箱。